(57)【要約】【課題】  発呼元の回線品質によってＶ８機能のＯＮ／ＯＦＦをユーザレベルで操作することができるファクシミリ装置を提供する。【解決手段】  通信前情報通知サービスに対応し、発呼元電話番号通知サービスに契約した回線に接続され、着呼時に受信した発呼元番号及び、Ｖ８プロトコル通信を禁止する発呼元番号の組み合わせ情報を記憶する手段と、回線を自動的に閉結する手段と、を有するファクシミリ装置であって、着呼時に受信した発呼元番号を、予め当該ファクシミリ装置に登録してある、Ｖ８プロトコル通信を禁止する発呼元番号と比較し、着呼時に受信した発呼元番号と当該記憶情報が一致した場合、Ｖ８プロトコル通信を禁止する手段を有する。【選択図】  図１
2005167496.tif 000002
【特許請求の範囲】
【請求項１】
通信前情報通知サービスに対応し、発呼元電話番号通知サービスに契約した回線に接続され、
着呼時に受信した発呼元番号及び、Ｖ８プロトコル通信を禁止する発呼元番号の組み合わせ情報を記憶する手段と、
回線を自動的に閉結する手段と、を有するファクシミリ装置であって、
着呼時に受信した発呼元番号を、予め当該ファクシミリ装置に登録してある、Ｖ８プロトコル通信を禁止する発呼元番号と比較し、着呼時に受信した発呼元番号と当該記憶情報が一致した場合、Ｖ８プロトコル通信を禁止する手段を有することを特徴とするファクシミリ装置。
【請求項２】
Ｖ８プロトコル通信を禁止する発呼元番号を複数登録する手段をさらに有することを特徴とする請求項１記載のファクシミリ装置。
【請求項３】
ＦＡＸ通信の結果に応じて、Ｖ８プロトコルを禁止する発呼元番号を追加するソフトウェアをさらに有することを特徴とする請求項１または２記載のファクシミリ装置。
【発明の詳細な説明】
【技術分野】
【０００１】
本発明は、電話機等の通信装置に関し、詳しくはファクシミリ装置に関する。
【背景技術】
【０００２】
一般的にモデムを使用したアナログ通信は、送信機、交換機、及び受信機間の回線の品質に大きく左右される。特にＶ８手順で始まるＶ３４は、Ｖ１７以下と比して、回線品質に対してデリケートである。
【０００３】
例えば、Ｖ８手続きを介してＶ３４のシーケンスへ入ったものの回線品質が悪く、画情報送信フェーズで受信側がＰＰＲを複数回応答することがある（ＰＰＲ信号は、何らかの原因により正常な画情報を受信できず、送信機側へ再送を求める信号）。これを受けて、送信機−受信機間で再トレーニングが行われ、伝送レートをシフトダウンするといった対応がなされる。回線品質が酷い場合、このようなモデム間の対応の甲斐なく、画情報の送受信半ばで通信が断絶することになる。受信機側では、画が途中で途切れた原稿が出力されて通信が終了してしまう。また、Ｖ３４プロトコルはモデム間の会話が主体で、一旦シーケンスが開始された後は、ファックスのプログラムで制御できる部分は一部に限られており、回線品質を考慮してフェールセーフ的が処理をファックスのプログラムに組み込むにも限界がある。
【０００４】
また、従来の通信装置では、通信障害が発生する度に、ユーザがＶ８機能をＯＦＦするリストへ当該発呼元番号を登録する作業は、ユーザにとって負担である。また、実際に通信障害であったか否かを確認するには、厳密には、通信プロトコルを調べる必要がある。
【０００５】
従来技術例として、発番号通知により送信先を特定し、特定の通信相手だけが、ユーザの希望する拡大率を操作表示手段に登録することを許可すると共に、特定の相手からの受信時に画情報を拡大して書き出し手段に書き出させる制御を行う「ファクシミリ装置」がある（例えば、特許文献１参照）。
【特許文献１】特開２００３−３２４８１号公報
【発明の開示】
【発明が解決しようとする課題】
【０００６】
しかしながら、特許文献１記載の発明のように従来の通信装置の機能では、該当する実機で統一してＶ８機能をＯＮ／ＯＦＦするまでであった。よって、本発明は、上記事情を鑑みてなされたものであり、発呼元によってＶ８機能をＯＮ／ＯＦＦを選択できることによって、発呼元の相手先によって選択的にＶ８機能のＯＮ／ＯＦＦを選択でき、また、回線品質が悪い相手先に対してはより安定性のあるＶ１７以下のプロトコルを選択し、前項目で記したような通信障害をユーザレベルの操作で避けることが可能なファクシミリ装置を提供することを目的とする。
【０００７】
また、本発明は、通信障害の発生有無の判断及び該当発呼元番号をＶ８機能ＯＦＦするリストに登録する作業をファックスのプログラムに委任することで、ユーザ負担を軽減するファクシミリ装置を提供することを目的とする。
【課題を解決するための手段】
【０００８】
かかる目的を達成するために、請求項１記載の発明は、通信前情報通知サービスに対応し、発呼元電話番号通知サービスに契約した回線に接続され、着呼時に受信した発呼元番号及び、Ｖ８プロトコル通信を禁止する発呼元番号の組み合わせ情報を記憶する手段と、回線を自動的に閉結する手段と、を有するファクシミリ装置であって、着呼時に受信した発呼元番号を、予め当該ファクシミリ装置に登録してある、Ｖ８プロトコル通信を禁止する発呼元番号と比較し、着呼時に受信した発呼元番号と当該記憶情報が一致した場合、Ｖ８プロトコル通信を禁止する手段を有する。
【０００９】
請求項２記載の発明は、請求項１記載の発明において、Ｖ８プロトコル通信を禁止する発呼元番号を複数登録する手段をさらに有することを特徴とする。
【００１０】
請求項３記載の発明は、請求項１または２記載の発明において、ＦＡＸ通信の結果に応じて、Ｖ８プロトコルを禁止する発呼元番号を追加するソフトウェアをさらに有することを特徴とする。
【発明の効果】
【００１１】
本発明によれば、着呼時に受信した発呼元番号を、予め当該ファクシミリ装置に登録してある、Ｖ８プロトコル通信を禁止する発呼元番号と比較し、着呼時に受信した発呼元番号と当該記憶情報が一致した場合、Ｖ８プロトコル通信を禁止する機能を有することにより、発呼元の回線品質によってＶ８機能のＯＮ／ＯＦＦをユーザレベルで操作することができる。
【００１２】
また、本発明によれば、Ｖ８プロトコル通信の結果に応じて、Ｖ８プロトコルを禁止する発呼元番号を追加する機能をソフトウェアが有することによって、当該発明を実施するにあたり発生するユーザの負担を軽減できる。
【発明を実施するための最良の形態】
【００１３】
以下、本発明を実施するための最良の形態について添付図面を参照して詳細に説明する。また、ＮＴＴが提供する通信前情報通知サービスでは、着呼側は着呼時に交換機から送出される情報（通信前情報）を受けるが、本実施例では、同サービスによって提供される「発呼元電話番号通知サービス（ナンバーディスプレイサービス）」を利用している。
【００１４】
図１は本発明の実施例であるファクシミリ装置のブロック構成図を示したものである。図１においてスキャナ１は、原稿画像の読み取り画情報を取り出すものである。プロッタ２は、画像を記録紙に記録するものである。符号化復号部３は、ＭＨ方式などの既知の符号化方式により、送信する画情報を符号化によりデータ圧縮を行う一方、受信した画情報を復号化して元の画情報を再生するものである。網制御装置４は、電話回線と電話機９が接続されている。そして発着信を行うための回線制御を行う。モデム５は、画情報を変復調して伝送すると共に、伝送制御の為の各種手順信号を伝送するものである。操作表示部６は、装置の動作状態を表示する一方、オペレータが各種操作を行うものである。システム制御部７は、上記各部を制御するマイクロコンピュータである。システムバス８は、上記各部が相互間で各種制御信号やデータをやり取りする信号ラインである。記憶部１０は、着呼時に受信した発呼元企業名（氏名）と着番号を一時的に記憶する部分である。記憶部１１は、Ｖ８手順を禁止する発呼元番号情報を記憶しておく部分である。
【００１５】
本発明の実施例の動作を、図２〜図４のフローチャートに沿って以下に説明する。
本発明のファクシミリ装置の管理者は、Ｖ８手続きを禁止する発呼元番号を予めファクシミリ装置（記憶部１１）へ登録しておく。また、本実施例では同番号を複数登録できる。
【００１６】
本発明の実施例である、電話機またはファクシミリ装置等の通信機は、受信待機中に回線から送られてくる情報受信端末起動信号を監視する（Ｓ１０１）。情報受信端末起動信号を受信すると（Ｓ１０１，ＹＥＳ）、回線を閉結し（Ｓ１０２）、通信前情報（Ｖ．２３モデム信号）を受信し、同信号から発呼元番号を取り出し、記憶部１０に記憶する（Ｓ１０３）。回線を開放し（Ｓ１０４）、交換機から送られてくる１６Ｈｚ呼び出し信号を検出し、回線を閉結する（Ｓ１０５）。
【００１７】
また、記憶部１０に記憶している受信した発呼元番号を、記憶部１１に登録されている発呼元番号群と比較し、記憶部１１内に登録されている発呼元番号群のうちのいずれかと一致するか否かを確認する（Ｓ１０６）。このとき、登録できる発呼元番号は、１個だけと限定しても、又は複数個にしてもよい。
【００１８】
記憶部１０に記憶している受信した発呼元番号が記憶部１１内に登録されている発呼元番号のいずれかと一致した場合（Ｓ１０７，ＹＥＳ）、ＣＥＤ信号（トーン信号）、ＤＩＳ信号（Ｖ２１信号）を送出し（Ｓ１１４）、Ｖ１７以下の通信プロトコルをもってＦＡＸ通信を行う（Ｓ１１５）。具体的には、送信機−受信機間の能力交換、画データ送受信のトレーニング、画データの送受信を行う。ＦＡＸ通信終了後、回線を開放する（Ｓ１１６）。
【００１９】
一方、Ｓ１０６の比較処理において、いずれのものとも一致しなかった場合（Ｓ１０７，ＮＯ）、発呼側へＶ８手順を促す意味を待つ信号ＡＮＳａｍ信号（トーン信号）を送出する（Ｓ１０９）。直後、ＣＭ信号（Ｖ２１信号）を送出し、Ｖ８で定義された通信プロトコルにのっとった信号のやり取りが行われる（Ｓ１１０）。Ｖ８シーケンスが終了後、Ｖ３４プロトコル上で、ラインプロービング、送信機−受信機間のユーザデータ送受信のトレーニング、送信機−受信機間の能力交換、画データの送受信を行う。画情報の送受信において、通信を中断するような通信中エラーが発生しなければ（Ｓ１１２，ＮＯ）、ＦＡＸ通信終了とともに回線を開放する（Ｓ１１４）。
【００２０】
画情報受信中に回線の品質に起因した通信エラーが発生し、通信が中断した場合（Ｖ３４プロトコルを中断）（Ｓ１１２，ＹＥＳ）、回線を開放し（Ｓ１１３，ＹＥＳ）、記憶部１０に蓄積した「通信前情報として受信した発呼番号」を記憶部１１の「Ｖ８機能をＯＦＦする対象番号の登録情報記憶部」へ蓄積、登録する（Ｓ１１７）。
【００２１】
以上、本発明の実施例について説明したが、上記実施例に限定されるものではなく、その要旨を逸脱しない範囲において種々の変形が可能である。
【図面の簡単な説明】
【００２２】
【図１】本発明の実施例であるファクシミリ装置の構成を示すブロック図である。
【図２】本発明の実施例の処理動作を示すフローチャートである。
【図３】本発明の実施例の処理動作を示すフローチャートである。
【図４】本発明の実施例の処理動作を示すフローチャートである。
【符号の説明】
【００２３】
１    スキャナ
２    プロッタ
３    符号化復号部
４    網制御装置
５    モデム
６    操作表示部
７    システム制御部
８    システムバス
９    電話機
１０    受信した発呼元番号の一時記憶部
１１    Ｖ８手順を禁止する発呼元番号の登録部
【図１】
2005167496.tif 000003
【図２】
2005167496.tif 000004
【図３】
2005167496.tif 000005
【図４】
2005167496.tif 000006